(57)【要約】      （修正有）【課題】薬用瓶のゴム製の栓体に両頭針を刺す場合に、ゴム製の栓体を脱落させることなく栓体に両頭針を貫通させることができる薬用瓶の蓋を提供する。【解決手段】ゴム製の栓体５が嵌着している薬用瓶４の瓶口に装着される蓋体であって、蓋本体１と内蓋２と外蓋３とによって構成されている。内蓋２の頂面板２２の下面側には、内蓋２の中心側から外側に向って斜め下方に延在するように係止突片２４が複数個形成されている。係止突片２４は栓体５の上面に係合して栓体５の中心方向への移動を規制する。【選択図】図１
0003180810.tif 000002
【実用新案登録請求の範囲】
【請求項１】
アルミ等の軟質金属薄板によって逆有底円筒状に形成した蓋本体と、この蓋本体の頂面板内側に嵌合させることができ且つ蓋本体と相似形状に形成した内蓋と、前記蓋本体の頂面板を含む上半部に冠着させることのできる合成樹脂製の外蓋との組み合せによって構成され、ゴム製の栓体が嵌着している薬用瓶の瓶口部に装着する薬用瓶の蓋であって、前記蓋本体は、その頂面板に適宜大きさの透孔を穿設し、前記透孔はその外周に適宜の幅をもった溝を有し、その溝の両端部に蓋本体の周胴部に達するようにした切り裂き筋を刻設することによってこれに囲まれる内側を引き裂き用の環状体として形成し、また、前記蓋本体の内側に嵌合する前記内蓋は、前記蓋本体とこれより少許だけ小さい相似形状として形成して頂面板には透孔を穿設した薬用瓶の蓋において、
前記内蓋の頂面板の下面側には、中心側から外側に向って斜め下方に延在するように突設された係止突片であって、前記ゴム製の栓体の上面と係合して当該ゴム製の栓体の上面の中心方向への移動を規制する係止突片が配設されていることを特徴とする薬用瓶の蓋。
【請求項２】
前記係止突片は、前記内蓋の頂面板の下面側に、円周方向に沿って等間隔で複数個配設されていることを特徴とする請求項１に記載の薬用瓶の蓋。
【考案の詳細な説明】
【技術分野】
【０００１】
本考案は、バイアル等の薬用瓶の蓋に関するものである。
【背景技術】
【０００２】
薬用瓶の瓶口部に施したゴム栓に注射針を挿通させて少量の薬液を取り出したい場合には外蓋のみを除去し、また、大量の薬液を一度に取り出したい場合には外蓋を含む蓋本体全体を除去する構成とした薬用瓶の蓋は、従来から広く使用されている。
【０００３】
このような薬用瓶の蓋の構成を図５，図６に示す。図５は蓋の構成を示す分解斜視図であり、図６は薬用瓶に装着された状態での蓋の構成を示す断面図である。
【０００４】
この薬用瓶の蓋は、図５に示すように、アルミ等の軟質金属薄板によって逆有底円筒状に形成した蓋本体１と、前記蓋本体１の頂面内側に嵌合させることができ且つ蓋本体１と相似形状に形成した内蓋２と、前記蓋本体１の頂面板１２を含む上半部に冠着させることのできる合成樹脂製の外蓋３との組み合わせによって構成されている。
【０００５】
蓋本体１は、適宜の高さをした周胴部１１の上面に頂面板１２を形成することによって逆有底円筒状に形成されている。
【０００６】
１３は頂面板１２の中央部に穿設した透孔であり、この透孔１３を通して薬用瓶４の瓶口に嵌装したゴム製の栓体５の上面が露出するようになっている。
【０００７】
１４は頂面板１２に穿設した透孔１３の周囲に形成された適宜の幅をもった溝からなる引き裂き用のスリットであり、スリット１４の両端部が形成された頂面板１２から周胴部１１の上端部に達するように切り裂き筋を刻設することによってこれに囲まれる内側が引き起こし用の環状体１５となるように構成されている。
【０００８】
内蓋２は、図５に示したように、周胴部２１の上端に頂面板２２を連続させることによって逆有底円筒状に形成されているものであり、蓋本体１と相似形状をなし、これに嵌合することができる大きさとして形成されているものである。この内蓋２は、本例では蓋本体１と同質材のアルミ等の軟質金属薄板によって形成されている。
【０００９】
前記した周胴部２１の高さは、図６に示すように、ゴム製の栓体５のフランジの高さよりも低く形成してあり、使用時において前記したゴム製の栓体５のフランジの周胴に密着できるようにしてある。
【００１０】
２３は内蓋２の頂面板２２に穿設した透孔であり、この透孔２３の大きさは、蓋本体１の頂面板１２に穿設した透孔１３よりも小さい寸法となっている。これによって、外蓋３を剥離除去する際に内蓋２から外れる係止爪３９を蓋本体１の透孔１３を通して上面に引き上げることができる（図６参照）。
【００１１】
蓋本体１の上面に冠着する外蓋３は、適宜の硬度を有する合成樹脂を用いて形成するものであり周胴部が蓋本体１の周胴部１１に少許だけかぶさることができる浅い倒皿状となるように形成されている。
【００１２】
外蓋３の裏面中央部には、図５に示すように、内蓋２に穿設した透孔２３の円周に当接しながら折り曲げ係止することのできる略円筒形状の係止爪３９が突設されている。この係止爪３９は、透孔２３に嵌合させたのち、内蓋２の内側から折り曲げ加圧をすることにより、或いは同じく内側から加熱をすることにより押し広げられながら倒伏させられるように折り曲げ自在に突設されている。
【００１３】
上記のように構成された薬用瓶の蓋は以下のようにして組み立てる。
【００１４】
蓋体を組み立てる場合には先ず蓋本体１の内側に内蓋２を嵌合させる。
【００１５】
次いで蓋本体１の外側から外蓋３を冠着させ、外蓋３の内側面に突設されている略円筒形状の係止爪３９を蓋本体１の透孔１３及び内蓋２の頂面板２２に穿設している透孔２３の双方に貫通するように挿通させる。
【００１６】
内蓋２の透孔２３に挿通させた円筒形状の係止爪３９は内蓋２の内側からこれを外側方向に押し広げるように加圧し（場合によっては加熱しながら加圧して押し広げる）て透孔に触れている部分から先端部分を横に倒し内蓋２の裏面に密着させることによって蓋本体１を内側に挟んだ状態に組み立てる（この場合蓋本体１は外蓋３と内蓋２とによって狭持された状態となっているだけであり、蓋本体の裏面から突設した係止爪３９によって係止されることはない。）。
【００１７】
蓋体を瓶４に装着するには、先ず、蓋本体１の周胴部１１部分を薬用瓶４の瓶口部に冠着させ、次いで、周胴部１１の下端部を瓶蓋の巻締め機に当接させれば、周胴下端部は瓶口方向に加圧されて折り曲げられ、図６に示すように完全に巻締め固定をすることができる（なお、この方法は公知のものであり、格別新規なものではない）。
【００１８】
以上のようにして瓶４に蓋体を装着した後、通常は高温高圧の水蒸気によって滅菌処理が施される。
【００１９】
このように構成されている蓋を具えた薬用瓶に収納されている薬剤のなかには、点滴によって患者に投与される薬剤もある。
【００２０】
現在、病院等の医療施設においては、図７に示したような薬用瓶６０内の薬液Ｍを、点滴用チューブ７０を介して患者に投与する方法が多用されている。６２は、点滴用チューブ７０を接続するためのゴム製の栓体である。
【００２１】
通常このような薬液Ｍは、経年変化を防ぐために、図８（ａ）に示したように、固体状の薬剤Ｘと液体状の薬液Ｙとに分離した状態で保管されており、使用する直前に、この薬剤Ｘと薬液Ｙとを混合して薬液Ｍを作り、その薬液Ｍを患者に投与している。
【００２２】
薬剤Ｘを収納してある薬用瓶４の内部と、薬液Ｙを収納してある薬用瓶６０の内部とを連通させる器具としては、図８（ａ）に示したような構成の両頭針８０が用いられている。このような両頭針８０は、円筒状のカバー部８２の中央部を仕切っている円盤状の支持板８３の中心部に、両端部に針先が形成されている両頭針本体８１の中央部が貫通した状態で固定されている構成になっている。
【００２３】
薬剤Ｘと薬液Ｙとを混合して薬液Ｍを作る場合には、図８（ａ）に示したように、薬用瓶４を密閉しているゴム製の栓体に両頭針本体８１の一方の側の針先を刺した後、他方の針先を、薬用瓶６０の瓶口８１の内側を密閉しているゴム製の栓体８２に刺して、図８（ｂ）に示したように薬用瓶４０と薬用瓶６０との内部を連通させた状態にする。このような状態で、薬液Ｙを薬用瓶４に入れて薬剤Ｘを溶かし、その溶液を再び薬用瓶６０に回収した後、薬用瓶６０から両頭針８０を外して薬液Ｍの製作を終了する。
【考案の概要】
【考案が解決しようとする課題】
【００２４】
以上説明した薬剤Ｘと薬液Ｙとを混合する過程において、図９（ａ）に示したように、薬用瓶４の瓶口の内側を密閉しているゴム製の栓体５に、両頭針本体８１の針先を栓体５の上面に直角な方向ではなく傾けた状態で刺そうとした場合には、両頭針本体８１の外径は通常の注射針に比して太いために針先が刺さらず、その針先に押されて栓体５が薬用瓶４の内部側に脱落してしまうことがあった。このように、図９（ｂ）に示したような栓体５が脱落した状態においては、薬剤Ｘが外気に触れて汚染されてしまう可能性があるために、このような薬剤Ｘは患者に投与することは出来ず廃棄処分にしなければならない。
【００２５】
即ち、従来は薬用瓶４の栓体５に両頭針本体８１を上面に対して直角な方向に刺さない場合には、薬用瓶４内の薬剤Ｘを無駄にしてしまうという虞があった。
【課題を解決するための手段】
【００２６】
以上の問題を解消するために、本考案は、アルミ等の軟質金属薄板によって逆有底円筒状に形成した蓋本体と、この蓋本体の頂面板内側に嵌合させることができ且つ蓋本体と相似形状に形成した内蓋と、前記蓋本体の頂面板を含む上半部に冠着させることのできる合成樹脂製の外蓋との組み合せによって構成され、ゴム製の栓体が嵌着している薬用瓶の瓶口部に装着する薬用瓶の蓋であって、前記蓋本体は、その頂面板に適宜大きさの透孔を穿設し、前記透孔はその外周に適宜の幅をもった溝を有し、その溝の両端部に蓋本体の周胴部に達するようにした切り裂き筋を刻設することによってこれに囲まれる内側を引き裂き用の環状体として形成し、また、前記蓋本体の内側に嵌合する前記内蓋は、前記蓋本体とこれより少許だけ小さい相似形状として形成して頂面板には透孔を穿設した薬用瓶の蓋において、前記内蓋の頂面板の下面側には、中心側から外側に向って斜め下方に延在するように突設された係止突片であって、前記ゴム製の栓体の上面と係合して当該ゴム製の栓体の上面の中心方向への移動を規制する係止突片が配設されていることを特徴とするものである。
【００２７】
ここで、前記係止突片は、前記内蓋の頂面板の下面側に、円周方向に沿って等間隔で複数個配設されていてもよい。
【考案の効果】
【００２８】
本考案によれば、薬用瓶のゴム製の栓体に両頭針を刺す場合に、内蓋に配設されている係止突片が栓体の上面に係合して栓体の上面の中心方向への移動を規制するので、ゴム製の栓体を脱落させることなく栓体に両頭針を貫通させることができる。
【図面の簡単な説明】
【００２９】
【図１】本考案の実施例１の構成を示す分解斜視図である。
【図２】本考案の実施例１の動作の説明図である。
【図３】本考案の実施例１の構成の説明図である。
【図４】本考案の実施例１の構成の説明図である。
【図５】従来の薬用瓶の蓋の構成を示す分解斜視図である。
【図６】従来の薬用瓶の蓋の構成を示す断面図である。
【図７】従来の薬用瓶の使用方法の説明図である。
【図８】従来の薬用瓶の使用方法の説明図である。
【図９】従来の薬用瓶の使用方法の説明図である。
【考案を実施するための形態】
【００３０】
以下、図面を用いて本考案の実施例について説明する。
【実施例１】
【００３１】
図１は、本考案の実施例１の構成を示した分解斜視図である。
【００３２】
図１において、従来例の構成を示した図５と同一符号のものは同一のものを示しているので、その説明は省略する。
【００３３】
本実施例１においては、内蓋２の構成のみが従来例と異なっている。
【００３４】
図１に示したように、本実施例１に係る内蓋２の頂面板２２には、その下面側に中心側から外側に向って斜め下方に延在するような係止突片２４が突設されている。
【００３５】
この係止突片２４は、内蓋２の円周方向に沿って等間隔となるようにプレス加工によって複数個形成されている。
【００３６】
本実施例１を、ゴム製の栓体５が嵌着している薬用瓶４の瓶口に完全に固定した状態においては、内蓋２の係止突片２４は、その下側に位置しているゴム製の栓体５の上面に、押圧された状態または突き刺さった状態で係合している。
【００３７】
このように蓋体が薬用瓶４の瓶口に固定されている状態から外蓋３を外して、図２（ａ）に示したように両頭針本体８１を栓体５の上面に刺した場合、両頭針本体８１によって栓体５の中心の上面には略下向きに力が加わり、栓体５の上面はその中心方向に移動しようとするが、この移動に対して係止突片２４は栓体５の上面に食い込んでその移動を規制するので、両頭針本体８１は、図２（ｂ）に示したように斜めに刺されたときでも栓体５を脱落させることなく栓体５を貫通する。
【００３８】
なお、以上説明した本実施例１においては、係止突片２４の形状は図１に示したように略長方形の形状となっているが、この形状は略長方形に限られるものではなく、例えば、図３に示すように三角形の形状の係止突片２５としてもよい。
【００３９】
さらに、この係止突片は、図４に示すように、長方形の形状の２つの係止突片が対向するように構成された１組の係止突片２６としてもよい。この場合、内蓋２の中心に近い側の係止突片が内蓋２の中心側から外側に向って斜め下方に延在するように配設されていれば、以上説明した本考案の効果を得ることができる。
【符号の説明】
【００４０】
１  蓋本体
２  内蓋
３  外蓋
４  薬用瓶
５  ゴム栓
１１  周胴部
１２  頂面板
１３  透孔
１４  引き裂き用の溝
１５  引き起こし用の環状体
２１  周胴部
２２  頂面板
２３  透孔
２４，２５，２６  係止突片
３９  係止爪
６０  薬用瓶
７０  点滴用チューブ
８０  両頭針
Ｘ  薬剤
Ｙ  薬液
【図１】
0003180810.tif 000003
【図２】
0003180810.tif 000004
【図３】
0003180810.tif 000005
【図４】
0003180810.tif 000006
【図５】
0003180810.tif 000007
【図６】
0003180810.tif 000008
【図７】
0003180810.tif 000009
【図８】
0003180810.tif 000010
【図９】
0003180810.tif 000011